(57)【要約】【課題】交通機関における複数の車両の運行状況情報を利用者がリアルタイムに取得することができる交通機関運行状況情報提供システム及び方法を提供すること。【解決手段】本発明の交通機関運行状況情報提供システムは、交通機関における複数の車両の運行状況を検出して検出運行状況情報を生成し、予め記憶された運行予定情報と前記検出運行状況情報とを合成して運行状況情報として情報保管装置１０１−３に保管し、携帯通信端末装置１０３又はパーソナルコンピュータ１０４からの要求に基づいて情報保管装置１０１−３を検索して前記運行状況情報を読み出して通知先に通知することである。【選択図】　　　図１
2004038793.tif 000002
【特許請求の範囲】
【請求項１】
交通機関における複数の車両の運行状況情報を管理し提供する情報管理提供手段と、前記情報管理提供手段と通信ネットワークを介して情報を通信する通信端末装置と、を具備し、前記通信端末装置は、所定の運行状況情報を取得する要求を送信する運行状況情報取得要求手段と、前記運行状況情報取得要求手段により要求された前記運行状況情報の通知先を送信する運行状況情報通知先送信手段と、を具備し、前記情報管理提供手段は、前記複数の車両の運行状況を検出して検出運行状況情報を生成する運行状況情報検出手段と、予め記憶された前記運行予定情報と前記検出運行状況情報とを合成して前記運行状況情報として保管する情報保管手段と、前記運行状況情報取得要求手段からの前記要求に基づいて前記情報保管手段を検索して前記運行状況情報を読み出して前記通知先に通知する運行状況情報提供手段と、を具備することを特徴とする交通機関運行状況情報提供システム。
【請求項２】
前記運行状況情報検出手段は、前記複数の車両がある地点を出発又はある地点に到着したことを検出して発着情報を生成する発着検出手段と、前記発着検出手段による発着情報の検出の時刻を計時して発着時刻情報を生成する発着計時手段と、前記発着検出手段による検出された発着情報及び前記発着計時手段の発着時刻情報とを合成して前記検出運行状況情報として前記情報保管手段に送信する情報検出制御手段と、を具備することを特徴とする請求項１記載の交通機関運行状況情報提供システム。
【請求項３】
前記通信端末装置は、前記運行状況情報が変化した時に変化後の運行状況情報を取得する要求である変化後情報取得要求を送信する変化後情報取得要求手段を具備し、前記情報管理提供手段は、前記変化後情報取得要求及び前記通知先を登録する登録手段と、前記運行状況情報が変化した時に前記変化後の運行状況情報に基づいて前記登録手段を検索して前記変化後情報取得要求及び前記通知先を特定し前記変化後情報取得要求に基づいて前記情報保管手段を検索して前記変化後の運行状況情報を読み出して特定された前記通知先に通知する変化後運行状況情報通知手段と、を具備することを特徴とする請求項１又は請求項２記載の交通機関運行状況情報提供システム。
【請求項４】
前記通信端末装置は、当該通信端末装置の現在位置を測定して現在位置情報を生成する測位装置と、前記測位装置からの前記現在位置情報とともに前記運行状況情報を画像として表示する表示装置と、を具備し、前記表示装置は、前記運行状況情報に基づいて地図上に前記現在位置情報と前記車両の位置、出発開始点又は到着地点の情報とを表示することを特徴とした請求項１から請求項３のいずれかに記載の交通機関運行状況情報提供システム。
【請求項５】
交通機関における複数の車両の運行状況情報を管理し提供する情報管理提供手段と、前記情報管理提供手段と通信ネットワークを介して情報を通信する通信端末装置と、を具備する交通機関運行状況情報提供システムにおいて、前記通信端末装置が所定の運行状況情報を取得する要求を送信する運行状況情報取得要求ステップと、前記通信端末装置が前記運行状況情報取得要求ステップにおいて要求された前記運行状況情報の通知先を送信する運行状況情報通知先送信ステップと、前記情報管理提供手段が前記複数の車両の運行状況を検出して検出運行状況情報を生成する運行状況情報検出ステップと、予め記憶された前記運行予定情報と前記検出運行状況情報とを合成して前記運行状況情報として情報保管手段に保管する情報保管ステップと、前記運行状況情報取得要求ステップにおける前記要求に基づいて前記情報保管手段を検索して前記運行状況情報を読み出して前記通知先に通知する運行状況情報提供ステップと、を具備することを特徴とする交通機関運行状況情報提供方法。
【発明の詳細な説明】
【０００１】
【発明の属する技術分野】
本発明は、交通機関運行情報を通信端末装置に提供する交通機関運行情報提供システム及び方法に関する。
【０００２】
【従来の技術】
電車やバス等の交通機関を利用する者にとって、次の電車やバス等がいつ来るのか、今どの辺りを走っているのか等の運行状況を知りたい時がある。現在では駅のプラットホームには、次の電車が何分後に到着するか、また、今どこの駅を出発したかを表示した表示板が設けられていることが多い。このような表示板の表示を見れば、次に電車がいつ来るのかが一見してわかる。しかしながら、これらの時刻情報は、利用者が駅のプラットフォームや停留所付近において、電車又はバスを待っている場合にしか収集できない。
【０００３】
そこで、特開平１１−３４８７２号公報又は特開２００１−００６０９１号公報に開示されているように、携帯端末装置から利用者が収集したい駅又は停留所の電車又はバスの発着時刻情報を検索して表示する情報通信システムが提案されている。この情報通信システムにおいては、利用者が携帯端末装置を用いて利用する駅又は停留所の電車又はバスの発着予定時刻を事前に検索して取得することができる。
【０００４】
【発明が解決しようとする課題】
しかしながら、従来の情報通信システムにおいては、特定の電車又はバスが今どの辺りを走っているのかを駅や停留所に着く前にリアルタイムに知りたい時に、特定の電車又はバスの運行状況を通信端末装置で得ることができないという問題がある。
【０００５】
例えば、駅、停留所付近の店舗又はオフィス内で何らかの行動中にもう少しそこに滞在していたい時に特定の電車又はバスの運行状況情報を取得したい状況がある。特にバスにおいては交通事情により運行状況は時々刻々と変化するために、バスの運行状況情報を取得したい要求が大きい。電車又はバスの利用者は、このような場合には、利用しようとする電車又はバス等の発着予定時刻の数時間又は数分前に、再度それらの情報を検索するか、駅又はバス会社等に問い合わせる必要があり、時間や状況を気にしながら行動しなければならず、また、情報収集のために利用者の手間がかかるという問題がある。
【０００６】
本発明は、かかる点に鑑みてなされたものであり、交通機関における複数の車両の運行状況情報を利用者がリアルタイムに取得することができる交通機関運行状況情報提供システム及び方法を提供することを目的とする。
【０００７】
【課題を解決するための手段】
本発明の交通機関運行状況情報提供システムは、交通機関における複数の車両の運行状況情報を管理し提供する情報管理提供手段と、前記情報管理提供手段と通信ネットワークを介して情報を通信する通信端末装置と、を具備し、前記通信端末装置が、所定の運行状況情報を取得する要求を送信する運行状況情報取得要求手段と、前記運行状況情報取得要求手段により要求された前記運行状況情報の通知先を送信する運行状況情報通知先送信手段と、を具備し、前記情報管理提供手段が、前記複数の車両の運行状況を検出して検出運行状況情報を生成する運行状況情報検出手段と、予め記憶された前記運行予定情報と前記検出運行状況情報とを合成して前記運行状況情報として保管する情報保管手段と、前記運行状況情報取得要求手段からの前記要求に基づいて前記情報保管手段を検索して前記運行状況情報を読み出して前記通知先に通知する運行状況情報提供手段と、を具備する構成を採る。
【０００８】
この構成によれば、交通機関における複数の車両の運行状況を検出して検出運行状況情報を生成し、予め記憶された運行予定情報と前記検出運行状況情報とを合成して運行状況情報として情報保管手段に保管し、通信端末装置からの要求に基づいて前記情報保管手段を検索して前記運行状況情報を読み出して通知先に通知するから、交通機関における複数の車両の運行状況情報を利用者がリアルタイムに取得することができる。
【０００９】
本発明の交通機関運行状況情報提供システムは、前記構成において、前記運行状況情報検出手段が、前記複数の車両がある地点を出発又はある地点に到着したことを検出して発着情報を生成する発着検出手段と、前記発着検出手段による発着情報の検出の時刻を計時して発着時刻情報を生成する発着計時手段と、前記発着検出手段による検出された発着情報及び前記発着計時手段の発着時刻情報とを合成して前記検出運行状況情報として前記情報保管手段に送信する情報検出制御手段と、を具備する構成を採る。
【００１０】
この構成によれば、前記効果に加えて、交通機関における複数の車両の詳細な運行状況情報を利用者が容易に取得することができる。
【００１１】
本発明の交通機関運行状況情報提供システムは、前記構成において、前記通信端末装置が、前記運行状況情報が変化した時に変化後の運行状況情報を取得する要求である変化後情報取得要求を送信する変化後情報取得要求手段を具備し、前記情報管理提供手段が、前記変化後情報取得要求及び前記通知先を登録する登録手段と、前記運行状況情報が変化した時に前記変化後の運行状況情報に基づいて前記登録手段を検索して前記変化後情報取得要求及び前記通知先を特定し前記変化後情報取得要求に基づいて前記情報保管手段を検索して前記変化後の運行状況情報を読み出して特定された前記通知先に通知する変化後運行状況情報通知手段と、を具備する構成を採る。
【００１２】
この構成によれば、前記効果に加えて、交通機関における複数の車両の運行状況情報が変化した時に変化後の運行状況情報を利用者がリアルタイムに取得することができる。
【００１３】
本発明の交通機関運行状況情報提供システムは、前記構成において、前記通信端末装置が、当該通信端末装置の現在位置を測定して現在位置情報を生成する測位装置と、前記測位装置からの前記現在位置情報とともに前記運行状況情報を画像として表示する表示装置と、を具備し、前記表示装置が、前記運行状況情報に基づいて地図上に前記現在位置情報と前記車両の位置、出発開始点又は到着地点の情報とを表示する構成を採る。
【００１４】
この構成によれば、前記効果に加えて、運行状況情報に基づいて地図上に現在位置情報と車両の位置、出発開始点又は到着地点の情報とを表示するから、運行状況情報の把握が容易になる。
【００１５】
本発明の交通機関運行状況情報提供方法は、交通機関における複数の車両の運行状況情報を管理し提供する情報管理提供手段と、前記情報管理提供手段と通信ネットワークを介して情報を通信する通信端末装置と、を具備する交通機関運行状況情報提供システムにおいて、前記通信端末装置が所定の運行状況情報を取得する要求を送信する運行状況情報取得要求ステップと、前記通信端末装置が前記運行状況情報取得要求ステップにおいて要求された前記運行状況情報の通知先を送信する運行状況情報通知先送信ステップと、前記情報管理提供手段が前記複数の車両の運行状況を検出して検出運行状況情報を生成する運行状況情報検出ステップと、予め記憶された前記運行予定情報と前記検出運行状況情報とを合成して前記運行状況情報として情報保管手段に保管する情報保管ステップと、前記運行状況情報取得要求ステップにおける前記要求に基づいて前記情報保管手段を検索して前記運行状況情報を読み出して前記通知先に通知する運行状況情報提供ステップと、を具備するようにした。
【００１６】
この方法によれば、交通機関における複数の車両の運行状況を検出して検出運行状況情報を生成し、予め記憶された運行予定情報と前記検出運行状況情報とを合成して前記運行状況情報として情報保管手段に保管し、通信端末装置からの要求に基づいて前記情報保管手段を検索して前記運行状況情報を読み出して通知先に通知するから、交通機関における複数の車両の運行状況情報を利用者がリアルタイムに取得することができる。
【００１７】
【発明の実施の形態】
本発明の骨子は、交通機関における複数の車両の運行状況を検出して検出運行状況情報を生成し、予め記憶された運行予定情報と前記検出運行状況情報とを合成して運行状況情報として情報保管手段に保管し、通信端末装置からの要求に基づいて前記情報保管手段を検索して前記運行状況情報を読み出して通知先に通知することである。
【００１８】
以下、本発明の実施の形態について、図面を参照して詳細に説明する。
【００１９】
（実施の形態１）
図１は、本発明の実施の形態１に係る交通機関運行状況情報提供システムの構成を示すブロック図である。
【００２０】
図１に示すように、本発明の実施の形態１に係る交通機関運行状況情報提供システム１００は、情報管理提供装置１０１と、この情報管理提供装置１０１と通信ネットワーク１０２を介して情報を通信する通信端末装置である携帯通信端末装置１０３及びパーソナルコンピュータ１０４とを具備している。通信ネットワーク１０２は、基地局１０５を介して携帯通信端末装置１０３との間で通信を行う。
【００２１】
携帯通信端末装置１０３及びパーソナルコンピュータ１０４は、それぞれ交通機関における所定の運行状況情報を取得する要求を送信する運行状況情報取得要求手段と、前記運行状況情報の通知先を送信する運行状況情報通知先送信手段とを具備している。
【００２２】
情報管理提供装置１０１は、複数の運行状況情報検出装置１０１−１、情報検出制御装置１０１−２、情報保管装置１０１−３及び運行状況情報提供装置１０１−４を具備している。情報管理提供装置１０１は、インターネットのホームページに所定の運行状況情報の提供方法を提示し、携帯通信端末装置１０３又はパーソナルコンピュータ１０４が前記ホームページにアクセスすることにより、運行状況情報を携帯通信端末装置１０３又はパーソナルコンピュータ１０４に提供するものである。
【００２３】
情報検出制御装置１０１−２は、複数の運行状況情報検出装置１０１−１に接続されている。情報保管装置１０１−３は、情報検出制御装置１０１−２に接続されている。運行状況情報提供装置１０１−４は、情報保管装置１０１−３及び通信ネットワーク１０２に接続されている。
【００２４】
複数の運行状況情報検出装置１０１−１は、複数の電車１０６の運行状況を検出して検出運行状況情報を生成する。情報検出制御装置１０１−２は、運行状況情報検出装置１０１−１を制御し運行状況情報検出装置１０１−１からの検出運行状況情報を受けて情報保管装置１０１−３に与える。情報保管装置１０１−３は、交通機関における複数の電車１０６の運行予定情報を予め記憶している。情報保管装置１０１−３は、情報検出制御装置１０１−２からの検出運行状況情報を受けて、予め記憶されている運行時刻情報と合成して運行状況情報として保管する。情報保管装置１０１−３は、情報検出制御装置１０１−２からの検出運行状況情報を受けた時に、既に保管されている運行状況情報を更新する。運行状況情報提供装置１０１−４は、携帯通信端末装置１０３及びパーソナルコンピュータ１０４の運行状況情報取得要求手段からの前記要求に基づいて情報保管装置１０１−３を検索して前記運行状況情報を読み出して前記通知先すなわち前記運行状況情報の取得の要求を送信した携帯通信端末装置１０３又はパーソナルコンピュータ１０４に通知する。
【００２５】
次に、運行状況情報検出装置１０１−１について、図面を参照して説明する。図２は、運行状況情報検出装置１０１−１の構成を示すブロック図である。
【００２６】
図２に示すように、運行状況情報検出装置１０１−１は、発着検出装置１０１−１１、発着計時装置１０１−１２及び通知装置１０１−１３を具備している。通知装置１０１−１３は、発着検出装置１０１−１１、発着計時装置１０１−１２及び情報保管装置１０１−３に接続されている。
【００２７】
発着検出装置１０１−１１は、駅の所定位置に配置され、複数の電車１０６の各々を検出して複数の電車１０６がある地点を出発又はある地点に到着したことを検出して発着情報を生成する。なお、発着検出装置１０１−１１は、特徴的な地点（橋、トンネル、踏切など）又は所定距離（数ｋｍ、数十ｍなど）毎に配置してもよい。
【００２８】
発着計時装置１０１−１２は、発着検出装置１０１−１１による発着情報の検出の時刻を計時して発着時刻情報を生成する。通知装置１０１−１３は、発着検出装置１０１−１１からの発着情報と発着計時装置１０１−１２からの発着時刻情報を合成して検出運行状況情報として情報検出制御装置１０１−２に通知する。情報検出制御装置１０１−２は、通知装置１０１−１３からの運行状況情報を受けて情報保管装置１０１−３に与える。情報保管装置１０１−３は、情報検出制御装置１０１−２からの運行状況情報を受けて保管又は更新する。情報保管装置１０１−３に保管される運行状況情報は、交通機関の名称、便名、運行予定情報、及び、電車１０６に関する運行状況情報検出装置１０１−１により検出された検出運行状況情報等から構成されている。
【００２９】
次に、本発明の実施の形態１に係る交通機関運行状況情報提供システム１００の運行状況情報提供装置１０１−４の動作について、図面を参照して説明する。図３は、交通機関運行状況情報提供システム１００の運行状況情報提供装置１０１−４の動作を説明するためのフロー図である。
【００３０】
図３に示すように、ステップＳＴ３０１において、運行状況情報提供装置１０１−４は、所定の運行状況情報を取得する要求を受けた否かを判断する。ステップＳＴ３０１において所定の運行状況情報を取得する要求を受けた時に、運行状況情報の通知先を受けたか否かを判断する（ステップＳＴ３０２）。
【００３１】
ステップＳＴ３０２において運行状況情報の通知先を受けた時に、運行状況情報提供装置１０１−４は、運行状況情報の取得の要求に基づいて情報保管装置１０１−３を検索して運行状況情報を読み出し通知先に通知する（ステップＳＴ３０３）。
【００３２】
本発明の実施の形態１においては、交通機関における複数の電車１０６の運行状況を検出して検出運行状況情報を生成し、予め記憶された運行予定情報と前記検出運行状況情報とを合成して運行状況情報として情報保管装置１０１−３に保管し、携帯通信端末装置１０３又はパーソナルコンピュータ１０４からの要求に基づいて情報保管装置１０１−３を検索して前記運行状況情報を読み出して通知先に通知するから、交通機関における複数の車両の運行状況情報を利用者がリアルタイムに取得することができる。
【００３３】
（実施の形態２）
次に、本発明の実施の形態２について、図面を参照して詳細に説明する。図４は、本発明の実施の形態２に係る交通機関運行状況情報提供システムの構成を示すブロック図である。本発明の実施の形態２においては、本発明の実施の形態１と同じ構成要素には同じ参照符号が付されている。
【００３４】
本発明の実施の形態２に係る交通機関運行状況情報提供システム４００は、本発明の実施の形態１と同じ構成要素を具備し、かつ、図４に示すように、複数の運行状況情報検出装置１０１−１が電車１０６に搭載されている。
【００３５】
すなわち、本発明の実施の形態２に係る交通機関運行状況情報提供システム４００は、図１に示すように、情報管理提供装置１０１と、この情報管理提供装置１０１と通信ネットワーク１０２を介して情報を通信する通信端末装置である携帯通信端末装置１０３及びパーソナルコンピュータ１０４とを具備している。また、情報管理提供装置１０１が、運行状況情報検出装置１０１−１、情報検出制御装置１０１−２、情報保管装置１０１−３及び運行状況情報提供装置１０１−４を具備している。
【００３６】
この場合には、図４に示すように、電車が走行する線路に所定間隔をおいて多数の被検出物４０１を配置され、かつ、運行状況情報検出装置１０１−１が被検出物４０１を検出することのより、電車１０６がどの地点を通過したかを検出して電車１０６の検出運行状況情報を生成する。
【００３７】
本発明の実施の形態２においては、本発明の実施の形態１と同じ効果を有している。
【００３８】
（実施の形態３）
次に、本発明の実施の形態３について、図面を参照して詳細に説明する。図５は、本発明の実施の形態３に係る交通機関運行状況情報提供システムの運行状況情報提供装置１０１−４の構成を示すブロック図である。本発明の実施の形態３においては、本発明の実施の形態１と同じ構成要素には同じ参照符号が付されている。
【００３９】
本発明の実施の形態３に係る交通機関運行状況情報提供システム５００は、本発明の実施の形態１と同じ構成要素を具備し、携帯通信端末装置１０３及びパーソナルコンピュータ１０４が変化後情報取得要求手段を具備し、かつ、図５に示すように、運行状況情報提供装置１０１−４が登録装置１０１−４１及び変化後運行状況情報通知装置１０１−４２を具備している。変化後運行状況情報通知装置１０１−４２は、登録装置１０１−４１に接続されている。
【００４０】
次に、本発明の実施の形態１と異なる本発明の実施の形態３の動作について、説明する。
【００４１】
携帯通信端末装置１０３及びパーソナルコンピュータ１０４は、運行状況情報が変化した時に変化後の運行状況情報を取得する要求である変化後情報取得要求を送信する。登録装置１０１−４１は、携帯通信端末装置１０３及びパーソナルコンピュータ１０４からの変化後情報取得要求及び通知先を受けて登録する。変化後運行状況情報通知装置１０１−４２は、運行状況情報が変化した時に変化後の運行状況情報に基づいて登録装置１０１−４１を検索して変化後情報取得要求及び通知先を特定し、かつ、特定された変化後情報取得要求に基づいて情報保管装置１０１−３を検索して変化後の運行状況情報を読み出して特定された通知先に通知する。
【００４２】
次に、変化後運行状況情報通知装置１０１−４２の動作について、説明する。図６は、変化後運行状況情報通知装置１０１−４２の動作を説明するためのフロー図である。
【００４３】
図６に示すように、ステップＳＴ６０１において変化後運行状況情報通知装置１０１−４２は運行状況情報が変化したかを判断する。ステップＳＴ６０１において運行状況情報が変化した時に、変化後運行状況情報通知装置１０１−４２は変化後の運行状況情報に基づいて登録装置１０１−４１を検索して変化後情報取得要求及び通知先を特定する（ステップＳＴ６０２）。次に、ステップＳＴ６０３において、変化後運行状況情報通知装置１０１−４２は、変化後情報取得要求に基づいて情報保管装置１０１−３を検索して変化後の運行状況情報を読み出して特定された通知先に通知してステップＳＴ６０１へ戻る。
【００４４】
例えば、情報管理提供装置１０１は、インターネットのホームページに図７に示すような運行状況情報の提供方法を提示し、携帯通信端末装置１０３は表示装置１０３−１に表示される前記ホームページにアクセスすることにより、運行状況情報を取得して図８に示すような運行状況情報を表示装置１０３−１に表示できる。
【００４５】
同様に、情報管理提供装置１０１は、インターネットのホームページに図７に示すような運行状況情報の提供方法を提示し、パーソナルコンピュータ１０４は表示装置１０４−１に表示される前記ホームページにアクセスすることにより、運行状況情報を取得して図８に示すような運行状況情報を表示装置１０４−１に表示できる。
【００４６】
なお、本発明の実施の形態３は、本発明の実施の形態２に適用することができる。
【００４７】
本発明の実施の形態３によれば、本発明の実施の形態１の効果に加えて、交通機関における複数の車両の運行状況情報が変化した時に変化後の運行状況情報を利用者がリアルタイムに取得することができる。
【００４８】
（実施の形態４）
次に、本発明の実施の形態４について、図面を参照して詳細に説明する。図９は、本発明の実施の形態４に係る交通機関運行状況情報提供システムの通信端末装置の構成を示すブロック図である。本発明の実施の形態４においては、本発明の実施の形態３と同じ構成要素には同じ参照符号が付されている。
【００４９】
本発明の実施の形態４に係る交通機関運行状況情報提供システム９００は、本発明の実施の形態３と同じ構成要素を具備し、図９に示すように、携帯通信端末装置１０３が表示装置１０３−１及び測位装置１０３−２を具備している。測位装置１０３−２は、表示装置１０３−１に接続されている。また、パーソナルコンピュータ１０４も、表示装置１０３−１及び測位装置１０３−２を具備している。
【００５０】
測位装置１０３−２は、携帯通信端末装置１０３又はパーソナルコンピュータ１０４の現在位置を測定して現在位置情報を生成する。測位装置１０３−２は、例えば、ＧＰＳ（Ｇｌｏｂａｌ　Ｐｏｓｉｔｉｏｎｉｎｇ　Ｓｙｓｔｅｍ）の受信装置で構成されている。表示装置１０３−１は、測位装置１０３−２からの現在位置情報とともに運行状況情報を画像として表示する。例えば、表示装置１０３−１は、運行状況情報に基づいて地図上に現在位置情報Ａと移動中の車両の位置Ｂ、出発開始点又は到着地点の情報とを表示する。
【００５１】
なお、本発明の実施の形態４は、本発明の実施の形態１、２に適用することができる。
【００５２】
本発明の実施の形態４によれば、本発明の実施の形態１乃至３のいずれかの効果に加えて、運行状況情報に基づいて地図上に現在位置情報と車両の位置、出発開始点又は到着地点の情報とを表示するから、運行状況情報の把握が容易になる。
【００５３】
また、本発明は、電車１０６以外のバス又はモノレールの車両などに適用することができる。
【００５４】
【発明の効果】
以上説明したように、本発明によれば、交通機関における複数の車両の運行状況を検出して検出運行状況情報を生成し、予め記憶された運行予定情報と前記検出運行状況情報とを合成して運行状況情報として情報保管手段に保管し、通信端末装置からの要求に基づいて前記情報保管手段を検索して前記運行状況情報を読み出して通知先に通知するから、交通機関における複数の車両の運行状況情報を利用者がリアルタイムに取得することができる。
【図面の簡単な説明】
【図１】本発明の実施の形態１に係る交通機関運行状況情報提供システムの構成を示すブロック図
【図２】本発明の実施の形態１に係る交通機関運行状況情報提供システムの運行状況情報検出装置の構成を示すブロック図
【図３】本発明の実施の形態１に係る交通機関運行状況情報提供システムの運行状況情報提供装置の動作を説明するためのフロー図
【図４】本発明の実施の形態２に係る交通機関運行状況情報提供システムの運行状況情報検出装置の構成を示すブロック図
【図５】本発明の実施の形態３に係る交通機関運行状況情報提供システムの運行状況情報提供装置の構成を示すブロック図
【図６】本発明の実施の形態３に係る交通機関運行状況情報提供システムの運行状況情報提供装置における変化後運行状況情報通知装置の動作を説明するためのフロー図
【図７】本発明の実施の形態３に係る交通機関運行状況情報提供システムの通信端末装置における表示の一例を示す図
【図８】本発明の実施の形態３に係る交通機関運行状況情報提供システムの通信端末装置における表示の他の例を示す図
【図９】本発明の実施の形態４に係る交通機関運行状況情報提供システムの通信端末装置の構成を示すブロック図
【符号の説明】
１００、４００、５００、９００　交通機関運行状況情報提供システム
１０１　情報管理提供装置
１０２　通信ネットワーク
１０３　携帯通信端末装置
１０４　パーソナルコンピュータ
１０５　基地局
１０６　電車
１０１−１　運行状況情報検出装置
１０１−２　情報検出制御装置
１０１−３　情報保管装置
１０１−４　運行状況情報提供装置
１０１−１１　発着検出装置
１０１−１２　発着計時装置
１０１−１３　通知装置
１０１−４１　登録装置
１０１−４２　変化後運行状況情報通知装置
１０３−１　表示装置
１０３−２　測位装置
【図１】
2004038793.tif 000003
【図２】
2004038793.tif 000004
【図３】
2004038793.tif 000005
【図４】
2004038793.tif 000006
【図５】
2004038793.tif 000007
【図６】
2004038793.tif 000008
【図７】
2004038793.tif 000009
【図８】
2004038793.tif 000010
【図９】
2004038793.tif 000011